(57)【要約】  説明する装置は、少なくとも額の一部と鼻、耳及び頭部のうちの少なくとも１つとの組み合わせによる支持を含むことができ、或いは頭部に位置付けられる装置の適合性を高める調整可能な装置を提供することができる。この装置は、第１の端部と、第２の端部と、接続部分と、装置上に支持される少なくとも１つのデバイスとを含む。【選択図】図１
2018517163.tif 000002
【特許請求の範囲】
【請求項１】
人間の頭部によって支持される装置であって、
第１の端部と、第２の端部と、該第１の端部から該第２の端部に延びる上部フレームとを含む曲線的なワイヤを備え、
前記曲線的なワイヤの前記第１の端部は、第１の耳に隣接して前記頭部上に支持されるように構成され、
前記曲線的なワイヤの前記第２の端部は、第２の耳に隣接して前記頭部に支持されるように構成され、
前記上部フレームは、前記頭部の少なくともこめかみを把持して前記頭部の額の眉の上方の位置に支持されるように構成され、前記装置は、
前記装置によって支持された少なくとも１つのデバイスを更に備える、装置。
【請求項２】
前記少なくとも１つのデバイスは、前記第１の端部及び前記第２の端部の一方に位置する、請求項１に記載の装置。
【請求項３】
前記少なくとも１つのデバイスは、前記第１の耳及び前記第２の耳の一方の後方に位置するように構成される、請求項２に記載の装置。
【請求項４】
前記第１の端部及び前記第２の端部の少なくとも一方は、前記少なくとも１つのデバイスに接続する、請求項２に記載の装置。
【請求項５】
前記装置は、前記上部フレームによって支持された温度センサを含む、請求項１に記載の装置。
【請求項６】
前記温度センサは、前記上部フレームから距離を置いて位置する、請求項５に記載の装置。
【請求項７】
前記デバイスは、脳波計、スペクトルモニタ及びバイスペクトルインデックス（ＢＩＳ）モニタのうちの１つである、請求項１に記載の装置。
【請求項８】
前記頭部上における前記装置の位置を修正するように調整可能な可動機構を含む、請求項１に記載の装置。
【請求項９】
前記デバイスは温度センサであり、前記装置が前記頭部上に位置するときに前記可動機構を調整すると、Ａｂｒｅｕ脳熱トンネル（ＡＢＴＴ）位置に対する前記温度センサの位置が変化する、請求項８に記載の装置。
【請求項１０】
別個の電子デバイスと通信するように構成されるとともに、少なくとも前記デバイスから信号を受け取り又は前記デバイスに信号を送信するように構成された送信機を更に含む、請求項１に記載の装置。
【請求項１１】
前記第１の端部及び前記第２の端部の一方は、コネクタ内で終端するワイヤを含むように構成され、該ワイヤは、前記デバイスに電気的に接続される、請求項１に記載の装置。
【請求項１２】
前記装置が前記人間の頭部上に位置する場合、前記頭部の耳の先端から前記上部フレームまでの距離は３５ｍｍ未満である、請求項１に記載の装置。
【請求項１３】
前記装置が前記人間の頭部上に位置する場合、前記曲線的なワイヤは、前記眉の上方の位置から下降曲線の形で延びて前記少なくとも１つのデバイスに接続する、請求項１に記載の装置。
【請求項１４】
前記装置が前記人間の頭部上に位置する場合、前記曲線的なワイヤは、前記人間の頭部の各側部に位置する二重ループを含む、請求項１に記載の装置。
【請求項１５】
人間の頭部によって支持される装置であって、
前記人間の頭部の眉の上方に配置されるように構成された上部フレームと、
前記上部フレームに接続された一対のレンズと、
を備える装置。
【請求項１６】
係合特徴部を含むレンズ支持体を含み、前記一対のレンズの各々は、該係合特徴部と摺動係合するように構成された嵌合特徴部を含む、請求項１８に記載の装置。
【請求項１７】
前記上部フレームによって支持された投影装置を含み、該投影装置は、前記一対のレンズの一方に画像を投影するように構成される、請求項１８に記載の装置。
【請求項１８】
プロセッサ、スピーカ及び送信機を含む、請求項１８に記載の装置。
【請求項１９】
人間の頭部上に位置するように構成された感知フレームであって、
前記人間の頭部の人間の耳又はその上方に位置するように構成された第１の支持体と、
前記第１の支持体に接続された第２の支持体であって、前記人間の頭部のこめかみから額を横切って前記人間の頭部の裏側まで延びるように構成された第２の支持体と、を備え、
前記第２の支持体を後方及び前方に動かすと、前記第１の支持体が上向き及び下向きに動く、感知フレーム。
【請求項２０】
前記第１の支持体は、前記第２の支持体に対して角度を成して配置される、請求項２２に記載の感知フレーム。
【請求項２１】
前記第１の支持体は、接続支持体によって前記第２の支持体に接続される、請求項２２に記載の感知フレーム。
【請求項２２】
前記接続支持体は、前記第２の支持体と摺動接合する、請求項２４に記載の感知フレーム。
【発明の詳細な説明】
【技術分野】
【０００１】
本開示は、少なくとも１つのデバイスを人間の頭部に支持するように構成された装置に関する。
【背景技術】
【０００２】
度付き眼鏡、サングラス、ヘッドホン、イヤホンなどを含む多くのデバイスは、人間の頭部に接するように構成される。これらのデバイスは、鼻及び耳などの人間の頭部の１又は２以上の部分に接する従来の支持機構を含む。
【先行技術文献】
【特許文献】
【０００３】
【特許文献１】米国特許出願第１４／５１２，４２１号明細書
【特許文献２】米国特許出願第１４／５９３，８４８号明細書
【特許文献３】米国特許出願第１４／５９４，１２２号明細書
【特許文献４】米国特許出願第１４／６０３，３５３号明細書
【発明の概要】
【課題を解決するための手段】
【０００４】
本開示は、人間の頭部によって支持される装置であって、第１の端部と、第２の端部と、接続部分と、装置上に支持される少なくとも１つのデバイスとを含む装置を提供する。第１の端部は、第１の耳に隣接して頭部上に支持されるように構成される。第２の端部は、第２の耳に隣接して頭部上に支持されるように構成される。接続部分は、第１の端部から第２の端部に延び、頭部の少なくともこめかみを把持して頭部の額の眉の上方の位置に支持されるように構成される。
【０００５】
以下の例示的な実施形態の詳細な説明を添付図面と併せて読めば、本開示の実施形態の利点及び特徴がさらに明らかになるであろう。
【図面の簡単な説明】
【０００６】
【図１】本開示の例示的な実施形態による第１の装置の側面図である。
【図２】図１の第１の装置の上面図である。
【図３】図１の第１の装置の斜視図である。
【図４】本開示の例示的な実施形態による第２の装置の側面図である。
【図５】図４の第２の装置の上面図である。
【図６】図４の第２の装置の斜視図である。
【図７】本開示の例示的な実施形態による第３の装置の側面図である。
【図８】図７の第３の装置の上面図である。
【図９】図７の第３の装置の斜視図である。
【図１０】本開示の例示的な実施形態による第４の装置の側面図である。
【図１１】図１０の第４の装置の上面図である。
【図１２】図１０の第４の装置の斜視図である。
【図１３】本開示の例示的な実施形態による第５の装置の側面図である。
【図１４】本開示の例示的な実施形態による第６の装置の側面図である。
【図１５】本開示の例示的な実施形態による第７の装置の側面図である。
【図１６】本開示の例示的な実施形態による第８の装置の側面図である。
【図１７】本開示の例示的な実施形態による第９の装置の側面図である。
【図１８】本開示の例示的な実施形態による第１０の装置の側面図である。
【図１９】本開示の例示的な実施形態による第１１の装置の側面図である。
【図２０】本開示の例示的な実施形態による第１２の装置の側面図である。
【図２１】本開示の例示的な実施形態による第１３の装置の側面図である。
【図２２】図２１の第１３の装置の別の図である。
【図２３】本開示の例示的な実施形態による接続装置の図である。
【図２４】本開示の例示的な実施形態による送信機装置の図である。
【図２５】本開示の例示的な実施形態によるセンサの図である。
【図２６】本開示の例示的な実施形態による装置の位置の図である。
【図２７】本開示の例示的な実施形態による装置の位置の別の図である。
【図２８】本開示の例示的な実施形態による装置の位置のさらに別の図である。
【図２９】本開示の例示的な実施形態による装置の位置のさらなる図である。
【図３０】本開示の例示的な実施形態による第１４の装置の図である。
【図３１】本開示の例示的な実施形態による第１５の装置の図である。
【図３２】本開示の例示的な実施形態による第１６の装置の図である。
【図３３】本開示の例示的な実施形態による第１７の装置の図である。
【図３４】本開示の例示的な実施形態による第１８の装置の図である。
【図３５】本開示の例示的な実施形態による第１９の装置の図である。
【図３６】本開示の例示的な実施形態による第２０の装置の図である。
【図３７】本開示の例示的な実施形態による第２１の装置の図である。
【図３８】本開示の例示的な実施形態による第２２の装置の図である。
【図３９】図３８の第２２の装置の別の図である。
【図４０】本開示の例示的な実施形態による第２３の装置の図である。
【図４１】図４０の第２３の装置の別の図である。
【図４２】本開示の例示的な実施形態による第２４の装置の図である。
【図４３】図４２の第２４の装置の別の図である。
【図４４】本開示の例示的な実施形態による第２５の装置の図である。
【図４５】図４４の第２５の装置の別の図である。
【図４６】本開示の例示的な実施形態による第２６の装置の図である。
【図４７】図４６の第２６の装置の別の図である。
【図４８】図４６の第２６の装置の一部の図である。
【図４９】図４６の第２６の装置の一部の別の図である。
【図５０】図４６〜図４９の装置に適合する取り付け構成の図である。
【図５１】図５０の取り付け構成に適合するレンズの図である。
【図５２】図５０の取り付け構成を線５２−５２に沿って横から見た図である。
【図５３】本開示の例示的な実施形態による第２７の装置の図である。
【図５４】図５３の第２７の装置の別の図である。
【図５５】図５３の第２７の装置の一部の図である。
【図５６】本開示の例示的な実施形態による第２８の装置の図である。
【図５７】先行技術のフレームの図である。
【図５８】本開示の例示的な実施形態による感知フレーム(sensing frame)の形態の第２９の装置の図である。
【図５８Ａ】本開示の例示的な実施形態による第３０の装置の図である。
【図５８Ｂ】本開示の例示的な実施形態による第３１の装置の図である。
【図５９】本開示の例示的な実施形態による第３２の装置の図である。
【図６０】本開示の例示的な実施形態による第３３の装置の図である。
【図６１】本開示の例示的な実施形態による第３４の装置の図である。
【図６２】本開示の例示的な実施形態による第３５の装置の図である。
【図６３】本開示の例示的な実施形態による第３６の装置の図である。
【図６４】本開示の例示的な実施形態による第３７の装置の図である。
【図６５】本開示の例示的な実施形態による第３８の装置の図である。
【図６６】本開示の例示的な実施形態による第３９の装置の図である。
【図６７】本開示の例示的な実施形態による第４０の装置の図である。
【図６８】本開示の例示的な実施形態による第４１の装置の図である。
【図６９】本開示の例示的な実施形態による第４２の装置の図である。
【図７０】本開示の例示的な実施形態による第４３の装置の図である。
【図７１】本開示の例示的な実施形態による第４４の装置の図である。
【図７２】本開示の例示的な実施形態による第４５の装置の図である。
【図７３】本開示の例示的な実施形態による第４６の装置の図である。
【図７４】本開示の例示的な実施形態による第４７の装置の図である。
【図７５】本開示の例示的な実施形態による第４８の装置の図である。
【図７６】本開示の例示的な実施形態による第４９の装置の図である。
【図７７】本開示の例示的な実施形態による第５０の装置の図である。
【図７８】本開示の例示的な実施形態による第５１の装置の図である。
【図７９】本開示の例示的な実施形態による第５２の装置の図である。
【図８０】本開示の例示的な実施形態による第５３の装置の図である。
【図８１】本開示の例示的な実施形態による第５４の装置の図である。
【図８２】本開示の例示的な実施形態による第５５の装置の図である。
【図８３】本開示の例示的な実施形態による第５６の装置の図である。
【図８４】本開示の例示的な実施形態による第５７の装置の図である。
【図８５】本開示の例示的な実施形態による第５８の装置の図である。
【図８６】本開示の例示的な実施形態による第５９の装置の図である。
【図８７】本開示の例示的な実施形態による第６０の装置の図である。
【図８８】本開示の例示的な実施形態による第６１の装置の図である。
【図８９】本開示の例示的な実施形態による第６２の装置の図である。
【図９０】本開示の例示的な実施形態による第６３の装置の図である。
【図９１】本開示の例示的な実施形態による第６４の装置の図である。
【図９２】本開示の例示的な実施形態による第６５の装置の図である。
【図９３】感知フレームの眉からの距離を示す図である。
【図９４】従来の眼鏡の図である。
【図９５】従来の眼鏡の別の図である。
【図９６】本開示の例示的な実施形態による第６６の装置の図である。
【図９７】本開示の例示的な実施形態による第６７の装置の図である。
【図９８】本開示の例示的な実施形態による、眼鏡と共に使用した図９７の第６７の装置の図である。
【図９９】従来の眼鏡と同時に使用した図６０の実施形態の図である。
【図１００】本開示の例示的な実施形態による第６９の装置の図である。
【図１０１】図１００の第６９の装置の一部の図である。
【図１０２】本開示の例示的な実施形態による第７０の装置の図である。
【図１０３】本開示の例示的な実施形態による、ユーザに配置した図１００の第６９の装置の図である。
【図１０４】本開示の例示的な実施形態による第７１の装置の図である。
【図１０４Ａ】図１０４の第７１の装置の一部の図である。
【図１０４Ｂ】本開示の例示的な実施形態による第７２の装置の図である。
【図１０５】本開示の例示的な実施形態による第７３の装置の図である。
【図１０５Ａ】図１０５の第７３の装置の一部の図である。
【図１０５Ｂ】本開示の例示的な実施形態による第７４の装置の図である。
【図１０６】本開示の例示的な実施形態による第７５の装置の図である。
【図１０７】図１０６の第７５の装置の別の図である。
【図１０８】図１０６の第７５の装置の別の図である。
【図１０９】本開示の例示的な実施形態による第７６の装置の図である。
【図１１０】図１０９の第７６の装置の別の図である。
【図１１０Ａ】図１０９の第７６の装置の別の図である。
【図１１１】本開示の例示的な実施形態による第７７の装置の図である。
【図１１２】本開示の例示的な実施形態による第７８の装置の図である。
【図１１３】第７８の装置の線１１３−１１３に沿った断面図である。
【図１１４】図１１２の第７８の装置を着用したユーザの図である。
【図１１５】本開示の例示的な実施形態による第７９の装置の図である。
【図１１６】本開示の例示的な実施形態による第８０の装置の図である。
【図１１７】本開示の例示的な実施形態による第８１の装置の図である。
【図１１８】図１１７の第８１の装置を着用したユーザの図である。
【発明を実施するための形態】
【０００７】
頭部上にデバイスを配置するための従来の装置としては眼鏡が挙げられ、これには単眼鏡、サングラス、耳覆い型デバイス、耳挿入型デバイス及びヘッドホンなどがさらに含まれる。これらの従来の装置は、耳、鼻、目の窪みの一部（単眼鏡はこのように支持される）、又は耳と鼻の組み合わせによって支持されるように構成される。従来、ヘッドバンド及び帽子は、耳及び鼻の支持を伴わずに頭部を支持部として使用する。従来の装置とは対照的に、本開示の装置は、少なくとも額の一部と鼻、耳及び頭部のうちの少なくとも１つとの組み合わせによる支持を含むことができ、或いは頭部に位置付けられる装置の適合性を高める調整可能な装置を提供することができる。
【０００８】
一般に、従来の眼鏡類を別の従来の眼鏡類に重ねて着用することは不可能である。さらに、一般に、感知型眼鏡類は、ユーザの皮膚に接触又は隣接する必要があるセンサを有するので、従来の眼鏡を感知型眼鏡類に重ねて着用することは不可能である。出願人は、以前の開示において、基本的に従来のフレームを使用する様々な感知型眼鏡類を開示した。出願人は医師であり、出願人の感知型眼鏡類を患者に使用する際に患者が自身の従来の眼鏡類を着用することは不可能ではないにしても困難であると認識した。その後、出願人は、感知型眼鏡類との併用、及びセンサを有する本開示の新たな眼鏡類フレームを含め、従来の眼鏡類の下部又は上部で使用できる新たな眼鏡類フレームの研究及び発明を開始した。従って、本開示では、従来の眼鏡類と併用できる新たな感知型眼鏡類について説明する。
【０００９】
この新たな眼鏡類は、レンズリムの上部が眉の上方に配置されることを含む特殊な寸法を含む特殊な構成を有し、本開示のように額上ではなく眉の下、又は稀に眉上に位置する従来のリムとは対照的である。本開示では、正面部分又は上側レンズリム及びテンプルが細いワイヤ又は（ワイヤを含む）薄いプラスチックで形成され、全てのハードウェアがテンプルの端部に位置することにより、顔面上に別のフレーム（従来の眼鏡類）が存在することによって本開示の眼鏡類を目立ちにくく、より機能的で外見的に魅力的なものにする新たな眼鏡類及び新たなフレームについても説明する。従って、本開示では、２つの眼鏡類フレームを着用できるが、感知型眼鏡類が背景に溶け込むので、見た目には１つの眼鏡類しか使用していないように見える。本開示の感知型眼鏡類は、レンズを有さないことが好ましいが、本開示のフレームはレンズを含み、及び／又はレンズ用の固定手段を含むと理解されたい。本開示の眼鏡類は、単独で着用することも、又は従来の眼鏡類と併せて着用することも、さらには従来の眼鏡類の下に着用することもできる。本開示のフレームは、従来の眼鏡類の下に着用されるように適合されることが好ましい。
【００１０】
このように、ユーザは、自身の従来の眼鏡類又は度付き眼鏡類を着用しながら、好ましくは皮膚に接して又は皮膚に隣接して配置された感知型眼鏡類の機能からも恩恵を受けることができる。この方法は、顔面上に感知型眼鏡類を配置するステップと、ＡＢＴＴ終端上の又はこれに隣接するセンサを調整するステップと、感知型眼鏡類の上に従来の眼鏡類を配置するステップとを含む。（本明細書では感知フレームとも呼ぶ）本開示の感知型眼鏡類フレームは、前部（左右のレンズリム領域）及びテンプル部分（左右のテンプル）に最低限の重量の薄いフレームを含み、耳の周囲のテンプルの遠位部分及びテンプルの端部にハードウェアを含む重くて厚いフレームを含む特殊な重量分布を有する。
【００１１】
一般に耳の上部は眉と整列しており、これらの２つの構造、すなわち眉と耳は、本開示の感知フレームの特殊な寸法のための解剖学的目印として使用される。眉から額上の上部フレームが配置される領域までの距離を距離Ｘで示し、この距離が本開示のフレームの上部の寸法（高さ）を提供する。本開示の文脈における「上部フレーム」という用語は、眉の上方の領域で額に沿って又は額を横切って延びるあらゆるワイヤ又はフレーム部分を特異的に意味する。また、「テンプル」という用語は、額から側頭部に沿って延びるあらゆるワイヤ又はフレーム部分に適用される。従来の眼鏡類では、基本的にテンプルからフレーム及びレンズリムの上部までフレームが真っ直ぐであるため、耳上のフレームの高さと額上の上部フレームの高さとの間に差がない。対照的に、本開示の感知型眼鏡類の上部フレームは、眉の上方、及び従来の眼鏡類の上部フレームの上方に存在する。本開示の感知型眼鏡類のフレームは、レンズリム部分の垂直寸法が従来の眼鏡類のレンズリムよりも大きい。本開示の装置は、支持体が耳の後方又は耳に隣接して、又は後頭部において下がるまで、鼻の上方及び眉の上方で額に沿って、並びに耳の先端の上方でこめかみに沿って支持されるように構成されることが明らかなはずである。本明細書の図面からは、本開示のフレームの変形例が感知機能を達成し、及び／又は従来の眼鏡の下に着用されることが明らかなはずである。
【００１２】
距離Ｘは、フレームの上部から耳の先端の上の、又は耳の先端と整列するフレーム部分までの距離である。基本的に耳の先端が眉と整列していることを考慮すると、距離Ｘは、眉の中央から上部フレームまでの距離、又は眉の中央からフレームの上部までの垂直寸法を表すこともできる。図２７から分かるように、距離Ｘは、耳の先端から上部フレームの位置までで測定することもできる。好ましい距離Ｘは、３５ｍｍ以下であり、さらに好ましくは２０ｍｍ以下であり、さらに好ましくは１０ｍｍ以下であり、最も好ましくは５ｍｍ以下である。
【００１３】
本開示の、及び本開示の感知フレームの多くの態様は、例えば汎用コンピュータ、専用コンピュータ、ワークステーション又はその他のプログラマブルデータ処理装置などの、プログラムされた命令を実行できるコンピュータシステム又はその他のハードウェアの要素によって行われる一連の動作の観点から説明するものである。各実施形態では、特殊回路（例えば、特殊機能を実行するように相互接続された離散的論理ゲート）、１又は２以上のプロセッサ（例えば、１又は２以上のマイクロプロセッサ、中央処理装置（ＣＰＵ）及び／又は特定用途向け集積回路）によって実行されるプログラムモジュールなどのプログラム命令（ソフトウェア）、或いはこれらの両方の組み合わせによって様々な動作を実行することもできると認識されたい。例えば、実施形態は、ハードウェア、ソフトウェア、ファームウェア、マイクロコード、又はこれらのいずれかの組み合わせで実装することができる。命令は、必要なタスクを実行するプログラムコード又はコードセグメントとすることができ、記憶媒体又はその他の（単複の）ストレージなどの非一時的機械可読媒体に記憶することができる。コードセグメントは、手順、関数、サブプログラム、プログラム、ルーチン、サブルーチン、モジュール、ソフトウェアパッケージ、クラス、或いは命令、データ構造又はプログラム文のいずれかの組み合わせを表すことができる。コードセグメントは、情報、データ、引数、パラメータ又は記憶内容を受け渡し及び／又は受け取ることによって別のコードセグメント又はハードウェア回路に結合することができる。
【００１４】
さらに、非一時的機械可読媒体は、本明細書で説明する技術をプロセッサに実行させるプログラムモジュールなどの一連の適切なコンピュータ命令及びデータ構造などを含む固体メモリ、磁気ディスク及び光ディスクなどの、いずれかの有形形態のコンピュータ可読担体において具体化されると考えることができる。コンピュータ可読媒体としては、１又は２以上の配線を有する電気的接続、磁気ディスクストレージ、磁気カセット、磁気テープ又はその他の磁気記憶装置、ポータブルコンピュータディスケット、ランダムアクセスメモリ（ＲＡＭ）、リードオンリメモリ（ＲＯＭ）、消去可能なプログラム可能リードオンリメモリ（例えば、ＥＰＲＯＭ、ＥＥＰＲＯＭ又はフラッシュメモリ）、又は情報を記憶できる他のいずれかの有形媒体を挙げることができる。なお、本明細書では、本開示のシステムを、特定の機能を実行する様々なモジュール及びユニットを有するものとして図示し説明する。
【００１５】
これらのモジュール及びユニットは、明確にするためにその機能に基づいて説明するものにすぎず、必ずしも特定のハードウェア又はソフトウェアを表すものではないと理解されたい。この点に関し、これらのモジュール、ユニット及びその他のコンポーネントは、本明細書で説明する特定の機能を実質的に実行するように実装されたハードウェア及び／又はソフトウェアとすることができる。異なるコンポーネントの様々な機能は、ハードウェアモジュール及び／又はソフトウェアモジュールとしてあらゆる形で組み合わせ又は分離することができ、単独でも又は組み合わせても有用となり得る。システムには、直接、又は介在するＩ／Ｏコントローラを介して、以下に限定するわけではないが、キーボード、ディスプレイ及びポインティングデバイスなどを含む入力／出力装置又はＩ／Ｏ装置又はユーザインターフェイスを結合することができる。従って、本開示の様々な態様は多くの異なる形態で具体化することができ、全てのこのような形態が本開示の範囲に含まれると考えられる。
【００１６】
図１〜図３に、全体を１０で示す、本開示の例示的な実施形態による第１の装置を示す。装置１０は、被験者１４の頭部１２に配置されるように構成される。装置１０は、曲線的なワイヤ部分(curvilinear wire portion)１６と、少なくとも１つのデバイス１８とを含むように構成される。デバイス１８は、装置１０を頭部１２上に保持するのを支援する摩擦面２０を含むように構成することができる。デバイス１８は、スピーカ、送信機又は別のデバイスとすることができる。装置１０又は本明細書で提示するいずれかの装置に複数のデバイスが含まれる場合、各デバイスは、異なる機能を単独で提供することができると理解されたい。例えば、一方のデバイスはスピーカを含むように構成し、他方のデバイスは送信機を含むように構成することができる。頭部１２は、額２２、こめかみ２４、眉２６、鼻２８及び耳３０を含む複数の特徴を含むと理解されたい。曲線的なワイヤ部分１６は、頭部１２の１又は２以上の部分に係合して装置１０を支持するように構成される。図１〜図３の例示的な実施形態では、曲線的なワイヤ部分１６が、頭部１２のこめかみ２４に圧力を加えることによって頭部１２を把持又は保持するように構成される。曲線的なワイヤ部分１６は、このような圧力を加えるために、こめかみ２４などの物体又は表面の存在によって移動又は伸長しない限り所定の形状を保つバネ状材料として構成することができる。
【００１７】
図４〜図６には、全体を４０で示す、本開示の例示的な実施形態による第２の装置を示す。装置４０は、被験者１４の頭部１２に配置されるように構成される。装置４０は、曲線的なワイヤ部分４２と、少なくとも１つのデバイス４４とを含むように構成される。デバイス４４は、頭部１２に装置４０を保持するのを支援する摩擦面４６を含むように構成することができる。デバイス４４は、スピーカ、送信機又は別のデバイスとすることができる。曲線的なワイヤ部分４２は、頭部１２の一方の側を「Ｓ」字型曲線又は形状、反対側を鏡像又は逆「Ｓ」字型曲線又は形状と呼ぶこともできる二重ループを含むように構成される。曲線的なワイヤ部分４２の二重ループ部分は、頭部１２の１又は２以上の部分に係合して装置４０を支持するように構成される。図４〜図６の例示的な実施形態では、曲線的なワイヤ部分４２が、頭部１２のこめかみ２４に圧力を加えることによって頭部１２を把持又は保持するように構成される。曲線的なワイヤ部分４２は、このような圧力を加えるために、こめかみ２４などの物体又は表面の存在によって移動又は伸長しない限り所定の形状を保つバネ状材料として構成することができる。
【００１８】
図７〜図９には、全体を５０で示す、本開示の例示的な実施形態による第３の装置を示す。装置５０は、被験者１４の頭部１２に配置されるように構成される。装置５０は、曲線的なワイヤ部分５２と、少なくとも１つのデバイス５４とを含むように構成される。デバイス５４は、装置５０を頭部１２上に保持するのを支援する摩擦面５６を含むように構成することができる。デバイス５４は、スピーカ、送信機又は別のデバイスとすることができる。曲線的なワイヤ部分５２は、頭部１２の両側に二重ループを含むように構成される。曲線的なワイヤ部分５２の二重ループ部分は、頭部１２の１又は２以上の部分に係合して装置５０を支持するように構成される。図７〜図９の例示的な実施形態では、曲線的なワイヤ部分５２が、頭部１２のこめかみ２４に圧力を加えることによって頭部１２を把持又は保持するように構成される。曲線的なワイヤ部分５２は、このような圧力を加えるために、こめかみ２４などの物体又は表面の存在によって移動又は伸長しない限り所定の形状を保つバネ状材料として構成することができる。
【００１９】
図１０〜図１２には、全体を６０で示す、本開示の例示的な実施形態による第４の装置を示す。装置６０は、被験者１４の頭部１２に配置されるように構成される。装置６０は、曲線的なワイヤ部分６２と、少なくとも１つのデバイス６４とを含むように構成される。デバイス６４は、装置６０を頭部１２上に保持するのを支援する摩擦面６６を含むように構成することができる。デバイス６４は、スピーカ、送信機又は別のデバイスとすることができる。ワイヤ部分６２は、少なくとも１つのデバイス６４に接続された、頭部１２の一方の側から頭部１２のもう一方の側まで延びる実質的に真っ直ぐなワイヤとして構成される。図１０〜図１２の例示的な実施形態では、第４の装置６０が、２つのデバイス６４を含むように構成される。この実施形態の文脈における実質的に真っ直ぐとは、頭部１２の側方又は前方からワイヤ部分６２を見た時に概ね平坦又は水平であることを意味する。一般に、平坦又は水平とは、完全に平坦であることを意味するものではなく、本明細書で説明した前の実施形態に示す湾曲よりもはるかに小さなものではあるが、わずかな湾曲又は変動を含むことができる。図１０〜図１２の例示的な実施形態では、曲線的なワイヤ部分６２が、頭部１２のこめかみ２４に圧力を加えることによって頭部１２を把持又は保持するように構成される。曲線的なワイヤ部分６２は、このような圧力を加えるために、こめかみ２４などの物体又は表面の存在によって移動又は伸長しない限り所定の形状を保つバネ状材料として構成することができる。
【００２０】
図１３は、全体を７０で示す、本開示の例示的な実施形態による第５の装置の図である。前の実施形態と同様に、装置７０も、被験者１４の頭部１２に配置されるように構成される。装置７０は、ワイヤ部分７２と、少なくとも１つのデバイス７４とを含むように構成される。デバイス７４は、耳３０の少なくとも一部に載って又はその部分を把持して装置７０を頭部１２上に保持するのを支援するように構成することができる。デバイス７４は、スピーカ、送信機又は別のデバイスとすることができる。前の実施形態と同様に、ワイヤ部分７２は、頭部１２の一方の側から頭部１２のもう一方の側まで延びる実質的に真っ直ぐなワイヤとして額２２を包み込むように構成されるとともに、デバイス７４に接続する下降曲線を含むように構成された湾曲部分７６を含むように構成される。図示してはいないが、ワイヤ部分７２の反対側も、同様に第２のデバイス７４に接続するように構成することができる。この実施形態の文脈における実質的に真っ直ぐとは、頭部１２の側方又は前方からワイヤ部分７２を見た時に概ね平坦又は水平であることを意味する。一般に、平坦又は水平とは、完全に平坦であることを意味するものではなく、わずかな湾曲又は変動を含むことができる。図１３の例示的な実施形態では、ワイヤ部分７２が、頭部１２のこめかみ２４に圧力を加えることによって頭部１２を把持又は保持するように構成される。ワイヤ部分７２は、このような圧力を加えるために、こめかみ２４などの物体又は表面の存在によって移動又は伸長しない限り所定の形状を保つバネ状材料として構成することができる。
【００２１】
図１４は、全体を８０で示す、本開示の例示的な実施形態による第６の装置の図である。前の実施形態と同様に、装置８０も、被験者１４の頭部１２に配置されるように構成される。装置８０は、ワイヤ部分８２と、少なくとも１つのデバイス８４とを含むように構成される。デバイス８４は、耳３０の少なくとも一部に載って又はその部分を把持して装置８０を頭部１２上に保持するのを支援するように構成することができる。デバイス８４は、スピーカ、送信機又は別のデバイスとすることができる。前の実施形態と同様に、ワイヤ部分８２は、頭部１２の一方の側から頭部１２のもう一方の側まで延びる実質的に真っ直ぐなワイヤとして額２２を包み込むように構成される。図示してはいないが、ワイヤ部分８２の反対側も、同様に第２のデバイス８４に接続するように構成することができる。この実施形態の文脈における実質的に真っ直ぐとは、頭部１２の側方又は前方からワイヤ部分８２を見た時に概ね平坦又は水平であることを意味する。一般に、平坦又は水平とは、完全に平坦であることを意味するものではなく、わずかな湾曲又は変動を含むことができる。図１４の例示的な実施形態では、ワイヤ部分８２が、頭部１２のこめかみ２４に圧力を加えることによって頭部１２を把持又は保持するように構成される。ワイヤ部分８２は、このような圧力を加えるために、こめかみ２４などの物体又は表面の存在によって移動又は伸長しない限り所定の形状を保つバネ状材料として構成することができる。
【００２２】
図１５は、全体を９０で示す、本開示の例示的な実施形態による第７の装置の図である。前の実施形態と同様に、装置９０も、被験者１４の頭部１２に配置されるように構成される。装置９０は、ワイヤ部分９２と、少なくとも１つのデバイス９４とを含むように構成される。前の実施形態と同様に、ワイヤ部分９２は、頭部１２の一方の側から頭部１２のもう一方の側まで延びる実質的に真っ直ぐなワイヤとして額２２を包み込むように構成される。図示してはいないが、ワイヤ部分９２の反対側も、同様に第２のデバイス９４に接続するように構成することができる。この実施形態の文脈における実質的に真っ直ぐとは、頭部１２の側方又は前方からワイヤ部分９２を見た時に概ね平坦又は水平であることを意味する。一般に、平坦又は水平とは、完全に平坦であることを意味するものではなく、わずかな湾曲又は変動を含むことができる。図１５の例示的な実施形態では、ワイヤ部分９２が、頭部１２のこめかみ２４に圧力を加えることによって頭部１２を把持又は保持するように構成される。ワイヤ部分９２は、このような圧力を加えるために、こめかみ２４などの物体又は表面の存在によって移動又は伸長しない限り所定の形状を保つバネ状材料として構成することができる。ワイヤ部分９２は、耳３０の上部において装置９０を支持するように構成できる曲線的な部分９６を含むようにさらに構成される。また、デバイス９４は、頭部１２の少なくとも一部に載って又はその部分を把持して装置９０を頭部１２上に保持するのを支援するように構成することができる。デバイス９４は、スピーカ、送信機又は別のデバイスとすることができる。
【００２３】
図１６は、全体を１００で示す、本開示の例示的な実施形態による第８の装置の図である。前の実施形態と同様に、装置１００も、被験者１４の頭部１２に配置されるように構成される。装置１００は、ワイヤ部分１０２と、少なくとも１つのデバイス１０４とを含むように構成される。前の実施形態と同様に、ワイヤ部分１０２は、頭部１２の側から頭部１２のもう一方の側まで額２２を包み込むように構成される。図示してはいないが、ワイヤ部分１０２の反対側も、同様に第２のデバイス１０４に接続するように構成することができる。前の実施形態とは対照的に、ワイヤ部分１０２は、眉２６の真上の額２２に位置する比較的真っ直ぐな、平坦な又は水平な部分１０６と、頭部１２の後部１１０を把持するように構成された湾曲部分１０８とを含むように構成される。湾曲部分１０８は、下向きに湾曲してデバイス１０４に接続する。この実施形態の文脈における比較的真っ直ぐとは、頭部１２の側方又は前方からワイヤ部分１０２を見た時に概ね平坦又は水平であることを意味する。一般に、平坦又は水平とは、完全に平坦であることを意味するものではなく、わずかな湾曲又は変動を含むことができる。図１６の例示的な実施形態では、ワイヤ部分１０２が、頭部１２のこめかみ２４に圧力を加えることによって頭部１２を把持又は保持すると共に、頭部１２の後部に圧力を加えるように構成される。ワイヤ部分１０２は、このような圧力を加えるために、こめかみ２４などの物体又は表面の存在によって移動又は伸長しない限り所定の形状を保つバネ状材料として構成することができる。また、デバイス１０４は、耳３０の少なくとも一部に載って装置１００を頭部１２上に保持するのを支援するように構成することができる。デバイス１０４は、スピーカ、送信機又は別のデバイスとすることができる。
【００２４】
図１７は、全体を１２０で示す、本開示の例示的な実施形態による第９の装置の図である。前の実施形態と同様に、装置１２０も、被験者１４の頭部１２に配置されるように構成される。装置１２０は、ワイヤ部分１２２と、少なくとも１つのデバイス１２４とを含むように構成される。前の実施形態と同様に、ワイヤ部分１２２は、頭部１２の側から頭部１２のもう一方の側まで額２２を包み込むように構成される。図示してはいないが、ワイヤ部分１２２の反対側も、同様に第２のデバイス１２４に接続するように構成することができる。ワイヤ部分１２２は、頭部１２の一方の側から頭部１２のもう一方の側まで延びる実質的に真っ直ぐなワイヤとして額２２を包み込むように構成されるとともに、デバイス１２４に接続する下降曲線を含むように構成された湾曲部分１２６を含むように構成される。図示してはいないが、ワイヤ部分１２２の反対側も、同様に第２のデバイス１２４に接続するように構成することができる。この実施形態の文脈における実質的に真っ直ぐとは、頭部１２の側方又は前方からワイヤ部分１２２を見た時に概ね平坦又は水平であることを意味する。一般に、平坦又は水平とは、完全に平坦であることを意味するものではなく、わずかな湾曲又は変動を含むことができる。図１７の例示的な実施形態では、ワイヤ部分１２２が、頭部１２のこめかみ２４に圧力を加えることによって頭部１２を把持又は保持するように構成される。ワイヤ部分１２２は、このような圧力を加えるために、こめかみ２４などの物体又は表面の存在によって移動又は伸長しない限り所定の形状を保つバネ状材料として構成することができる。デバイス１２４は、耳３０の一部上に又はその部分によって少なくとも部分的に支持されるように構成することができる。デバイス１２４は、耳３０の後方から頭部１２の前面に向かって長手方向に延び、こめかみ２４の領域で終端するように構成される。
【００２５】
図１８は、全体を１３０で示す、本開示の例示的な実施形態による第１０の装置の図である。前の実施形態と同様に、装置１３０も、被験者１４の頭部１２に配置されるように構成される。装置１３０は、ワイヤ部分１３２と、少なくとも１つのデバイス１３４とを含むように構成される。前の実施形態と同様に、ワイヤ部分１３２は、頭部１２の一方の側から頭部１２の他方の側まで額２２を包み込むように構成される。図示してはいないが、ワイヤ部分１３２の反対側も、同様に第２のデバイス１３４に接続するように構成することができる。ワイヤ部分１３２は、頭部１２の一方の側から頭部１２のもう一方の側に延びてデバイス１３４に接続される実質的に真っ直ぐなワイヤとして額２２を包み込むように構成される。図示してはいないが、ワイヤ部分１３２の反対側も、同様に第２のデバイス１３４に接続するように構成することができる。この実施形態の文脈における実質的に真っ直ぐとは、頭部１２の側方又は前方からワイヤ部分１３２を見た時に概ね平坦又は水平であることを意味する。一般に、平坦又は水平とは、完全に平坦であることを意味するものではなく、わずかな湾曲又は変動を含むことができる。図１８の例示的な実施形態では、ワイヤ部分１３２が、頭部１２のこめかみ２４に圧力を加えることによって頭部１２を把持又は保持するように構成される。ワイヤ部分１３２は、このような圧力を加えるために、こめかみ２４などの物体又は表面の存在によって移動又は伸長しない限り所定の形状を保つバネ状材料として構成することができる。デバイス１３４は、耳３０の一部上に又はその部分によって少なくとも部分的に支持されるように構成することができる。デバイス１３４は、耳３０の後方から頭部１２の前面に向かって長手方向に延び、こめかみ２４の領域で終端するように構成される。
【００２６】
図１９は、全体を１４０で示す、本開示の例示的な実施形態による第１１の装置の図である。前の実施形態と同様に、装置１４０も、被験者１４の頭部１２に配置されるように構成される。装置１４０は、ワイヤ部分１４２と、少なくとも１つのデバイス１４４とを含むように構成される。前の実施形態と同様に、ワイヤ部分１４２は、頭部１２の一方の側から頭部１２のもう一方の側まで額２２を包み込むように構成される。図示してはいないが、ワイヤ部分１４２の反対側も、同様に第２のデバイス１４４に接続するように構成することができる。ワイヤ部分１４２は、頭部１２の一方の側から頭部１２のもう一方の側まで延びる実質的に真っ直ぐなワイヤとして額２２を包み込むように構成される。ワイヤ部分１４２は、デバイス１４４の水平部分に接続する曲線的な部分１４６を含む。曲線的な部分１４６は、文字「Ｓ」の鏡像のように見えるので、逆「Ｓ」字と呼ぶことができる。しかしながら、頭部１２の反対側の曲線的な部分１４６は、第２のデバイス１４４に接続する逆「Ｓ」字ではなく文字「Ｓ」として構成することができる。この実施形態の文脈における実質的に真っ直ぐとは、頭部１２の側方又は前方からワイヤ部分１４２を見た時に概ね平坦又は水平であることを意味する。一般に、平坦又は水平とは、完全に平坦であることを意味するものではなく、わずかな湾曲又は変動を含むことができる。図１９の例示的な実施形態では、ワイヤ部分１４２が、頭部１２のこめかみ２４に圧力を加えることによって頭部１２を把持又は保持するように構成される。ワイヤ部分１４２は、このような圧力を加えるために、こめかみ２４などの物体又は表面の存在によって移動又は伸長しない限り所定の形状を保つバネ状材料として構成することができる。デバイス１４４は、耳３０の一部上に又はその部分によって少なくとも部分的に支持されるように構成することができる。デバイス１４４は、耳３０の後方から頭部１２の前面に向かって長手方向に延び、こめかみ２４の領域で終端するように構成される。
【００２７】
図２０は、全体を１５０で示す、本開示の例示的な実施形態による第１２の装置の図である。前の実施形態と同様に、装置１５０も、被験者１４の頭部１２に配置されるように構成される。装置１５０は、ワイヤ部分１５２と、少なくとも１つのデバイス１５４とを含むように構成される。前の実施形態と同様に、ワイヤ部分１５２は、頭部１２の一方の側から頭部１２のもう一方の側まで額２２を包み込むように構成される。図示してはいないが、ワイヤ部分１５２の反対側も、同様に第２のデバイス１５４に接続するように構成することができる。ワイヤ部分１５２は、頭部１２の一方の側から頭部１２のもう一方の側に延びてデバイス１５４に接続される実質的に真っ直ぐなワイヤとして額２２を包み込むように構成される。この実施形態の文脈における実質的に真っ直ぐとは、頭部１２の側方又は前方からワイヤ部分１５２を見た時に概ね平坦又は水平であることを意味する。一般に、平坦又は水平とは、完全に平坦であることを意味するものではなく、わずかな湾曲又は変動を含むことができる。図２０の例示的な実施形態では、ワイヤ部分１５２が、頭部１２のこめかみ２４に圧力を加えることによって頭部１２を把持又は保持するように構成される。ワイヤ部分１５２は、このような圧力を加えるために、こめかみ２４などの物体又は表面の存在によって移動又は伸長しない限り所定の形状を保つバネ状材料として構成することができる。デバイス１５４は、耳３０を包み込むように構成された第１の曲線的な部分１５６を含むように構成される。このようにして、装置１５０は、耳３０の一部上に又はその部分によって少なくとも部分的に支持することができる。デバイス１５４は、第１の曲線的な部分１５６から上向きに延びて、第１の曲線的な部分１５６に取り付けられ又は接続された第１の端部１６０と、こめかみ２４及び額２２に向かって延びる第２の端部１６２とを含む「緩いｙ」字を形成する第２の曲線的な部分１５８をさらに含む。図２０から容易に分かるように、第１の曲線的な部分１５６及び第２の曲線的な部分１５８は、いずれも同じ一般的方向に湾曲する円弧状部分を含むように構成される。
【００２８】
図２１及び図２２には、全体を１７０で示す、本開示の例示的な実施形態による第１３の装置を示す。前の実施形態と同様に、装置１７０も、被験者１４の頭部１２に配置されるように構成される。装置１７０は、ワイヤ部分１７２を含むように構成される。前の実施形態と同様に、ワイヤ部分１７２は、頭部１２の一方の側から頭部１２のもう一方の側まで額２２を包み込むように構成される。ワイヤ部分１７２は、頭部１２の一方の側から頭部１２のもう一方の側まで延びる実質的に真っ直ぐなワイヤとして額２２を包み込むように構成される。この実施形態の文脈における実質的に真っ直ぐとは、頭部１２の側方又は前方からワイヤ部分１７２を見た時に概ね平坦又は水平であることを意味する。一般に、平坦又は水平とは、完全に平坦であることを意味するものではなく、わずかな湾曲又は変動を含むことができる。図２１の例示的な実施形態では、ワイヤ部分１７２が、頭部１２のこめかみ２４に圧力を加えることによって頭部１２を把持又は保持するように構成される。ワイヤ部分１７２は、このような圧力を加えるために、こめかみ２４などの物体又は表面の存在によって移動又は伸長しない限り所定の形状を保つバネ状材料として構成することができる。ワイヤ部分１７２は、このように屈曲することにより、こめかみ２４及び頭部１２に向かう方向１８８に力を及ぼす。
【００２９】
装置１７０は、装置１７０と頭部１２とを円滑に接触させるように構成された第１のパッド１７４、第２のパッド１７６及び第３のパッド１７８を含む複数のパッドを含むようにさらに構成される。装置１７０は、可撓性支持ワイヤ１８６上に位置するセンサ１８０をさらに含む。センサ１８０は、可撓性支持ワイヤ１８６上のＡＢＴＴセンサ１８０の位置を動かすことによって、少なくとも図９に示すＡＢＴＴ終端１８８上に位置できるように構成される。ＡＢＴＴ終端１８８については、同時係属中の米国特許出願第１４／５１２，４２１号、第１４／５９３，８４８号、第１４／５９４，１２２号、及び第１４／６０３，３５３号にさらに完全に記載されており、これらの文献はその全体が引用により本明細書に組み入れられる。センサ１８０は、温度センサ（又は、他のいずれかのセンサ又は検出器）を含むことができ、ＡＢＴＴ終端１８８の温度を表す信号を生成するように構成される。装置１７０は、これらの信号をユーザ又は医師に提供するために、送信機及び／又はコネクタ１８４、並びにＡＢＴＴ温度センサ１８０と送信機及び／又はコネクタ１８４との間に延びる電線を含むように構成される。
【００３０】
図２３は、本開示の例示的な実施形態による接続装置又はデバイス１９０の図である。接続装置１９０は、本開示で説明したいずれかのワイヤに類似することができるワイヤ１９２上に配置され又は取り付けられる。接続装置１９０は、電線１９６によって別個の電子装置（図示せず）に接続された別の接続装置又はデバイス１９４と嵌合するように構成される。
【００３１】
図２４は、本開示の例示的な実施形態による送信機装置２００の図である。送信機装置２００は、眉２６から距離Ｙだけ上方の額２２に位置するように構成されたワイヤ又は支持装置２０２上に位置するように構成される。送信機装置２００は、ラップトップ、携帯電話機、タブレット及び腕時計などとして構成できる別個の電子デバイス２０４に信号を送信するように構成される。
【００３２】
図２５は、本開示の例示的な実施形態によるセンサの図である。センサ２１０は、ＡＢＴＴ温度センサ１８０、ＥＥＧ、バイスペクトルインデックス（ＢＩＳ）モニタ及びスペクトルモニタなどを含む複数のセンサのうちの１つとして構成することができる。本明細書で説明する頭部に位置付けられる構成は、センサ２１０などのセンサを搭載するように構成されていると理解されたい。
【００３３】
図２６は、本開示の例示的な実施形態による装置ワイヤ２２０の位置の図である。ワイヤ２２０は、耳３０から距離Ｗだけ上方に位置する。
【００３４】
図２７は、本開示の例示的な実施形態による装置ワイヤ２２２の位置の別の図である。装置ワイヤ２２２は、耳３０の頂部から距離Ｘだけ上方に位置するように構成される。
【００３５】
図２８は、本開示の例示的な実施形態による装置ワイヤ２２４の位置のさらに別の図である。装置ワイヤ２２４は、眉２６から距離Ｙだけ上方に位置するように構成される。
【００３６】
図２９は、本開示の例示的な実施形態による装置ワイヤ２２６の位置の別の図である。装置ワイヤ２２６は、眉２６から距離Ｚだけ上方に位置するように構成される。
【００３７】
図３０は、全体を２３０で示す、本開示の例示的な実施形態による第１４の装置の図である。装置２３０は、少なくとも部分的に耳３０又はその上方に支持されて耳３０からこめかみ２４まで延びる第１の支持体２３２と、第１の支持体２３２に接続され又は取り付けられて額２２の周囲をこめかみ２４から頭部１２の裏側まで延びる第２の支持体２３４とを含み、第２の支持体２３４は第１の支持体２３２と同様の別の支持体に接続するように構成される。第１の支持体２３２は、上向きやや後方に滑動させることによって動かすことができ、これによって第２の支持体２３４が上向きに動く。これとは逆に、第１の支持体２３２を下向きやや前方に滑動させることによって第１の支持体２３２を動かすと、第２の支持体２３４が下向きに動く。
【００３８】
図３１は、全体を２４０で示す、本開示の例示的な実施形態による第１５の装置の図である。装置２４０は、少なくとも部分的に耳３０又はその上方に支持されて耳３０からこめかみ２４を越えて額２２に隣接する位置まで延びる第１の支持部２４２と、第１の支持体２４２に接続され又は取り付けられて額２２を横切って頭部１２の裏側まで延びる第２の支持体２４４とを含み、第２の支持体２４４は第１の支持体２４２と同様の別の支持体に接続するように構成される。第１の支持体２４２は、上向きやや後方に滑動させることによって動かすことができ、これによって第２の支持体２４４が上向きに動く。これとは逆に、第１の支持体２４２を下向きやや前方に滑動させることによって第１の支持体２４２を動かすと、第２の支持体２４４が下向きに動く。
【００３９】
図３２は、全体を２５０で示す、本開示の例示的な実施形態による第１６の装置の図である。装置２５０は、少なくとも部分的に耳３０又はその上方に支持されて耳３０からこめかみ２４に向かって延びる第１の支持体２５２と、こめかみ２４から額２２を横切って頭部１２の裏側まで延びる第２の支持体２５４とを含むように構成される。装置２５０は、第１の支持体２５２と第２の支持体２５４との間に延びる接続支持体２５６をさらに含む。第１の支持体２５２は、上向きやや後方に滑動させることによって動かすことができ、これによって第２の支持体２５４が上向きに動く。これとは逆に、第１の支持体２５２を下向きやや前方に滑動させることによって第１の支持体２５２を動かすと、第２の支持体２５４が下向きに動く。
【００４０】
図３３は、全体を２６０で示す、本開示の例示的な実施形態による第１７の装置の図である。装置２６０は、少なくとも部分的に耳３０又はその上方に支持されて耳３０からこめかみ２４に向かって延びる第１の支持体２６２と、第１の支持体２６２に接続され又は取り付けられて、こめかみ２４及び額２２を横切って頭部１２の裏側まで延びる第２の支持体２６４とを含み、第２の支持体２６４は、前の実施形態について説明したワイヤよりも太く構成される。第１の支持体２６２は、上向きやや後方に滑動させることによって動かすことができ、これによって第２の支持体２６４が上向きに動く。これとは逆に、第１の支持体２６２を下向きやや前方に滑動させることによって第１の支持体２６２を動かすと、第２の支持体２６４が下向きに動く。
【００４１】
図３４は、全体を２７０で示す、本開示の例示的な実施形態による第１８の装置の図である。装置２７０は、少なくとも部分的に耳３０又はその上方に支持された第１の支持体２７２と、こめかみ２４及び額２２を横切って頭部１２の裏側まで延びる第２の支持体２７４とを含むように構成される。装置２７０は、一端が第１の支持体２７２に接続され、第２の反対端が摺動部２７８に接続された接続支持体２７６を含むようにさらに構成される。摺動部２７８は、第２の支持体２７４と摺動接合する。第１の支持体２７２は、摺動部２７８を介して第２の支持体２７４に沿って動いた時に、装置２７０が頭部１２上で上向き又は下向きに動くように、第２の支持体２７４に対してわずかに傾斜する。
【００４２】
図３５は、全体を２８０で示す、本開示の例示的な実施形態による第１９の装置の図である。装置２８０は、少なくとも部分的に耳３０又はその上方に支持されて耳３０からこめかみ２４に向かって延びる第１の支持体２８２と、第１の支持体２８２に接続され又は取り付けられて、こめかみ２４及び額２２を横切って頭部１２の裏側まで延びる第２の支持体２６４とを含むように構成される。第１の支持体２８２は、上向きやや後方に滑動させることによって動かすことができ、これによって第２の支持体２８４が上向きに動く。これとは逆に、第１の支持体２８２を下向きやや前方に滑動させることによって第１の支持体２８２を動かすと、第２の支持体２８４が下向きに動く。
【００４３】
図３６は、全体を２９０で示す、本開示の例示的な実施形態による第２０の装置の図である。装置２９０は、少なくとも部分的に耳３０又はその上方に支持されて、こめかみ２４及び額２２を横切って頭部１２の裏側まで延びる第１の支持体２９２を含むように構成される。第１の支持体２９２は、こめかみ２４との接触と、部分的に額２２とによって支持される。装置２９０は、第１の支持体２９２、第３の支持体２９６及び支持パッド２９８上に位置する第２の支持体２９４をさらに含む。第３の支持体２９６は、第２の支持体２９４と摺動係合し、第２の支持体２９４に対して第３の支持体２９６を動かすと、額２２上で、及び程度は低いがこめかみ２４上で装置２９０が上昇及び下降する。
【００４４】
図３７は、全体を３００で示す、本開示の例示的な実施形態による第２１の装置の図である。装置３００は、少なくとも部分的に耳３０又はその上方に支持された第１の支持体３０２と、第１の支持体３０２に接続され又は取り付けられて、こめかみ２４及び額２２を横切って頭部１２の裏側まで延びる第２の支持体３０４とを含むように構成される。第１の支持体３０２は、上向きやや後方に滑動させることによって動かすことができ、これによって第２の支持体３０４が上向きに動く。これとは逆に、第１の支持体３０２を下向きやや前方に滑動させることによって第１の支持体３０２を動かすと、第２の支持体３０４が下向きに動く。
【００４５】
図３８及び図３９は、全体を３１０で示す、本開示の例示的な実施形態による第２２の装置の図である。装置３１０は、１又は２以上のレンズ３１２を支持する眼鏡として構成される。装置３１０は、耳３０と頭部１２との間に存在するように構成された耳支持体３１４と、耳支持体３１４から延びる第１のフレーム支持体３１６と、第１のフレーム支持体３１６に接続されたレンズ支持体３１８と、左右のこめかみ２４及び額２２に沿って位置するように構成された第２のフレーム支持体３２０と、第１のフレーム支持体３１６及び第２のフレーム支持体３２０の少なくとも一方に移動可能に取り付けられた接続支持体３２２とを含む。接続支持体３２２は、上向きやや後方に滑動させることによって動かすことができ、これによって第２のフレーム支持体３２０が上向きに動く。これとは逆に、接続支持体３２２を下向きやや前方に動かすことによって接続支持体３２２を動かすと、第２のフレーム支持体３２０が下向きに動く。
【００４６】
図４０及び図４１は、全体を３３０で示す、本開示の例示的な実施形態による第２３の装置の図である。装置３３０は、１又は２以上のレンズ３１２を支持する眼鏡として構成される。装置３３０は、耳３０と頭部１２との間に存在するように構成された耳支持体３３２と、耳支持体３３２から延びる第１のフレーム支持体３３４と、第１のフレーム支持体３３４に接続されたレンズ支持体３３６と、左右のこめかみ２４及び額２２に沿って位置するように構成された第２のフレーム支持体３３８と、第１のフレーム支持体３３４及び第２のフレーム支持体３３８に移動可能に取り付けられた接続支持体３４０とを含む。第２のフレーム支持体３３８は、前部接続支持体３４２によってレンズ支持体３３６にも取り付けられ又は接続される。接続支持体３４０は、前後左右に滑動させることによって動かすことができ、これによって頭部１２上における装置３３０の配向が調整される。
【００４７】
図４２及び図４３は、全体を３５０で示す、本開示の例示的な実施形態による第２４の装置の図である。装置３５０は、１又は２以上のレンズ３１２を支持する眼鏡として構成される。装置３５０は、耳３０と頭部１２との間に存在すように構成された耳支持体３５２と、耳支持体３５２から延びる第１のフレーム支持体３５４と、第１のフレーム支持体３５４に接続されたレンズ支持体３５６と、左右のこめかみ２４及び額２２に沿って位置するように構成された第２のフレーム支持体３５８と、第１のフレーム支持体３５４及び第２のフレーム支持体３５８に取り付けられた接続支持体３６０と、スライダ接続部３６２とを含む。第２のフレーム支持体３５８及び接続支持体３６０は、スライダ接続部３６２と摺動係合するように構成される。第２のフレーム支持体３５８とスライダ接続部３６２との係合は、スライダ接続部３６２に対する第２のフレーム支持体３５８の前方及び後方への動きを可能にする。接続支持体３６０とスライダ接続部３６２との係合は、頭部１２上で装置３５０を上下に動かすように構成された第２のフレーム支持体３５８の垂直移動を可能にし、従って装置３５０の垂直方向の位置決めを可能にする。
【００４８】
図４４及び図４５は、全体を３７０で示す、本開示の例示的な実施形態による第２５の装置の図である。装置３７０は、１又は２以上のレンズ３１２を支持する眼鏡として構成される。装置３７０は、耳３０と頭部１２との間に存在するように構成された耳支持体３７２と、耳支持体３７２から延びる第１のフレーム支持体３７４と、第１のフレーム支持体３７４に接続されたレンズ支持体３７６と、左右のこめかみ２４及び額２２に沿って位置するように構成された第２のフレーム支持体３７８と、第１のフレーム支持体３７４及び第２のフレーム支持体３７８に取り付けられた接続支持体３８０と、スライダ接続部３８２とを含む。第２のフレーム支持体３７８及び接続支持体３８０は、スライダ接続部３８２と摺動係合するように構成される。第２のフレーム支持体３７８とスライダ接続部３８２との係合は、スライダ接続部３８２に対する第２のフレーム支持体３７８の前方及び後方への動きを可能にする。第２のフレーム支持体３７８が前後に動くと、額２２上における第２のフレーム支持体３７８の垂直移動が可能になり、従って頭部１２上における装置３７０の垂直方向の位置決めが可能になる。
【００４９】
図４６〜図４９は、全体を３９０で示す、本開示の例示的な実施形態による第２６の装置の図である。装置３９０は、眼鏡として構成される。装置３９０は、装置３９０を頭部１２に固定するように調整可能なストラップ３９２と、ストラップ３９２から延びる第１のフレーム支持体３９４と、レンズ支持体３９６と、少なくとも１つのレンズ３９８とを含むように構成される。装置３９０は、少なくとも１つのパッド４００を含むようにさらに構成される。各レンズ３９８は、レンズ支持体３９６と摺動係合するように構成される。装置３９０は、額２２、こめかみ２４及び頭部１２の後部に沿って耳３０及び鼻２８の上方に支持されるように構成されていることが明らかである。レンズ支持体３９６は、溝、スロット、スリット又はその他の係合特徴部(engaging feature)４０２を含むように構成される。各レンズ３９８は、溝４０２に係合するように構成された嵌合特徴部(mating feature)４０４を含むように構成される。
【００５０】
図５０〜図５２は、図４６〜図４９の装置に適合する取り付け構成の図である。レンズ支持体４１０は、少なくとも１つのレンズ４１２を支持するように構成される。レンズ支持体４１０は、フレーム支持体４１４によって支持される。レンズ支持体４１０は、スロット４１６を含むように構成される。レンズ支持体４１０は、レンズ支持体４１０からスロット４１６内に延びる少なくとも１つの突出部又はフィンガをさらに含む。レンズ４１２は、少なくとも１つの嵌合レンズスロット４２０を含むように構成される。レンズ４１２をレンズ支持体４１０に取り付けるには、レンズ４１２の端部をスロット４１６内に配置する際に、レンズスロット４２０を突出部４１８上に滑り込ませる。
【００５１】
図５３〜図５５には、全体を４３０で示す、本開示の例示的な実施形態による第２７の装置を示す。装置４３０は、装置４３０を頭部１２に固定するように調整可能なストラップ４３２と、ストラップ４３２から延びる第１のフレーム支持体４３４と、レンズ支持体４３６と、少なくとも１つのレンズ４３８とを含むように構成される。装置４３０は、少なくとも１つのパッド４００を含むようにさらに構成される。各レンズ４３８は、各レンズ４３８を第１のレンズ部分４４６と、第１の部分に対して９０度とすることができる角度４５０を成す第２の部分４４８とに形成する湾曲部分４４０を含むように構成される。各レンズ４３８の端部４４２は、レンズ支持体４３６と摺動係合するように構成される。装置４３０は、額２２、こめかみ２４及び頭部１２の後部に沿って耳３０及び鼻２８の上方に支持されるように構成されていることが明らかである。レンズ支持体４３６は、溝、スロット、スリット又はその他の係合特徴部４４４を含むように構成される。各レンズ４３８は、スロット４４４に係合するように構成された嵌合特徴部４５２を含むように構成される。
【００５２】
図５６は、全体を４６０で示す、本開示の例示的な実施形態による第２８の装置の図である。レンズ支持体４６０は、少なくとも１つのレンズ４６４を支持するように構成されたレンズ支持体４６２を含むように構成される。レンズ支持体４６２は、フレーム支持体４６６によって支持される。レンズ支持体４６２は、スロット４６８を含むように構成される。スロット４６８、及びスロット４６８とレンズ４６４との嵌合特徴部は、図５０〜図５２の特徴部と同様である。
【００５３】
図５７及び図５８に、従来のフレームと本開示の例示的な実施形態の感知フレームとの比較を示す。
【００５４】
図５７には、前部フレーム１００６の上部又は頂部１００４から鼻当て１００８までの寸法１００２を含む従来のフレーム１０００を示す。
【００５５】
図５８には、全体を１０１０で示す、本開示の例示的な実施形態による感知フレームを示す。感知フレーム１０１０は、上部フレーム１０１６の頂部又は上部１０１４から鼻当て１０１８までの寸法１０１２を含む。本開示の感知フレーム１０１０の寸法１０１２は、本開示の上部フレーム１０１６の額２２に対する位置が高いことにより、先行技術の従来のフレームの寸法１００２よりも長い。本開示では、図５７に示すような頂部１００４の近くに配置された従来のフレーム１０００の鼻当て１００８とは対照的に、鼻当て１０１８が上部フレーム１０１６から離れて配置される。
【００５６】
上部フレーム１０１６は、例えば眉２６の１ｃｍ上方に存在することによってハードウェアのための１ｃｍ余分な空間を有し、これによって追加のハードウェアを有するための特異な構成を可能にしながら外見的にも機能的にも魅力的な薄い構成であり続ける。従って、図５８Ａに、例示的な実施形態による、図５８の感知フレーム１０１０の特徴を含み、これに従って番号を付した感知フレーム１０３０を示す。感知フレーム１０３０は、スクリーン又はディスプレイ１０３２と、送信機１０３４と、プロセッサ１０３６と、非一時的メモリ１０３８と、スピーカ１０４０と、マイク１０４２と、カメラ１０４４とを含むことができる複数のハードウェアを含む。図５８Ｂには、全体を１０５０で示す、本開示の例示的な実施形態による別の感知フレームの実施形態を示す。感知フレーム１０５０は、感知フレーム１０１０及び１０３０と共通するいくつかの特徴を含み、これに従って番号を付している。感知フレーム１０５０は、レンズ１０５４上などに静止画像又はビデオを投影するためのプロジェクタ１０４６をさらに含む。
【００５７】
図５９は、図１の実施形態を、センサ４７４と、曲線的なワイヤ部分１６の額フレーム又は上部フレーム部分４７６にセンサ４７４を接続するアーム４７２とを有するセンサアセンブリ４７０を含む感知フレーム４６９として修正したものである。
【００５８】
図６０は、図３の実施形態を、曲線的なワイヤ部分１６の上部又は額フレーム４８６に接続されたアーム４８２とセンサ４８４とを有するセンサアセンブリ４８０を含む感知フレーム４７９として修正したものである。上部フレーム４８６は、曲線的なワイヤ部分１６のテンプル部分４９０の端部におけるデバイス１８のハウジング内に位置する電子機器及び電源にセンサアセンブリ４８０を接続するワイヤ４８８を収容する。
【００５９】
図６１は、図４の実施形態を、発光体５０２及び検出器５０４を有する発光体−検出器アセンブリ５００を含む感知フレーム４９８として修正したものである。
【００６０】
図６２は、図６の実施形態を、発光体５１２及び検出器５１４を有する発光体−検出器アセンブリ５１０を含む感知フレーム５０８として修正したものである。
【００６１】
図６３は、図７の実施形態を、一対の非接触センサ５２２を有する二重センサアセンブリ５２０を含むように修正したものである。図には左側のセンサ５２２のみを示す。
【００６２】
図６４は、図９の実施形態を、一対の非接触センサ５２２を有する二重センサアセンブリ５３０を含む感知フレーム５２８として修正したものであり、右側センサ及び左側センサを示す。
【００６３】
図６５は、図１０の実施形態を、ペルチェ素子、熱電素子、抵抗素子（抵抗器ベースの加熱素子）などの温度修正デバイス５４２を有する温度修正アセンブリ５４０を含む治療フレーム５３８として修正したものである。
【００６４】
図６６は、図１２の実施形態を、ペルチェ素子、熱電素子、抵抗素子（抵抗器ベースの加熱素子）などの温度修正デバイス５４２を有する温度修正アセンブリ５５０を含む治療フレーム５４８として修正したものである。
【００６５】
図６７は、図１３の実施形態を、ワイヤ部分７２に接続されたアーム５６２と接触センサ５６４とを有するセンサアセンブリ５６０を含む感知フレーム５５８として修正したものである。
【００６６】
図６８は、図１４の実施形態を、ワイヤ部分８２に接続されたアーム５７２と非接触センサ５７４とを有するセンサアセンブリ５７０を含む感知フレーム５６８として修正したものである。
【００６７】
図６９は、図１５の実施形態を、ワイヤ部分９２に接続されたアーム５８２と温度修正デバイス５８４とを有する温度修正アセンブリ５８０を含む治療フレーム５７８として修正したものである。
【００６８】
図７０は、図１６の実施形態を、ワイヤ部分１０２に接続されたアーム５９２と発光体５９４と検出器５９６とを有する発光体−検出器アセンブリ５９０を含む感知フレーム５８８として修正したものである。
【００６９】
図７１は、図１７の実施形態を、センサ６０２を有するセンサアセンブリ６００を含む感知フレーム５９８として修正したものである。デバイス１２４がハウジング６０４に置き換わっており、ハウジング６０４は、プロセッサ６０６と、送信機６０８と、非一時的メモリ６１０と、電源６１２とを含む。センサ６０２は、アーム６１４によってワイヤフレーム部分に接続される。このように、センサアセンブリ６００と共に構成した時には感知フレームと呼ぶことができる装置１２０のハードウェアが感知フレームの前部から離れて配置され、これによって外見的な魅力が高まるとともに、ユーザが従来の眼鏡類を使用することとの対立が避けられる。
【００７０】
図７２は、図１８の実施形態を、センサ６２２を有するセンサアセンブリ６２０を含む感知フレーム６１８として修正したものである。デバイス１３４がハウジング６２４に置き換わっており、ハウジング６２４は、プロセッサ６０６と、送信機６０８と、非一時的メモリ６１０と、電源６１２とを含む。センサ６２２は、アーム６２６によってワイヤフレーム部分１３２に接続される。このように、センサアセンブリ６２０と共に構成した時には感知フレームと呼ぶことができる装置１３０のハードウェアが感知フレームの前部から離れて配置され、これによって外見的な魅力が高まるとともに、ユーザが従来の眼鏡類を使用することとの対立が避けられる。
【００７１】
図７３は、図１９の実施形態を、センサ６３２を有するセンサアセンブリ６３０を含む感知フレーム６２８として修正したものである。デバイス１４４がハウジング６３４に置き換わっており、ハウジング６３４は、プロセッサ６０６と、送信機６０８と、非一時的メモリ６１０と、電源６１２とを含む。センサ６３２は、アーム６３６によってワイヤフレーム部分１４２に接続される。このように、センサアセンブリ６３０と共に構成した時には感知フレームと呼ぶことができる装置１４０のハードウェアが感知フレームの前部から離れて配置され、これによって外見的な魅力が高まるとともに、ユーザが従来の眼鏡類を使用することとの対立が避けられる。
【００７２】
図７４は、図２０の実施形態を、センサ６４２を有するセンサアセンブリ６４０を含む感知フレーム６３８として修正したものである。デバイス１５４がハウジング６４４に置き換わっており、ハウジング６４４は、プロセッサ６０６と、送信機６０８と、非一時的メモリ６１０と、電源６１２とを含む。センサ６４２は、アーム６４６によってワイヤフレーム部分１５２に接続される。このように、センサアセンブリ６４０と共に構成した時には感知フレームと呼ぶことができる装置１５０のハードウェアが感知フレームの前部から離れて配置され、これによって外見的な魅力が高まるとともに、ユーザが従来の眼鏡類を使用することとの対立が避けられる。
【００７３】
図７５は、図３０の実施形態を、センサ６５２を有するセンサアセンブリ６５０を含む感知フレーム６４８として修正したものである。第１の支持体２３２がハウジング６５４に置き換わっており、ハウジング６５４は、プロセッサ６０６と、送信機又はトランシーバ６５８と、非一時的メモリ６１０と、電源６１２とを含む。センサ６５２は、アーム６５６によって第２の支持体２３４に接続される。センサアセンブリ６５０は、送信機又はトランシーバ６５８が送信する無線信号を通じて遠隔デバイス６６０と通信する。遠隔デバイス６６０は、例えば携帯電話機、電話機、腕時計及びコンピュータなどとすることができる。
【００７４】
図７６は、図３１の実施形態を、非接触センサ６７２を有する非接触センサアセンブリ６７０を含む感知フレーム６６８として修正したものである。第１の支持体２４２がハウジング６７４に置き換わっており、ハウジング６７４は、プロセッサ６０６と、送信機又はトランシーバ６５８と、非一時的メモリ６１０と、電源６１２とを含む。センサ６７２は、アーム６７６によって第２の支持体２４４に接続される。センサアセンブリ６７０は、送信機又はトランシーバ６５８が送信する無線信号を通じて遠隔デバイス６６０と通信する。遠隔デバイス６６０は、例えば携帯電話機、電話機、腕時計及びコンピュータなどとすることができる。
【００７５】
図７７は、図３２の実施形態を、温度修正デバイス６８２を有する温度修正アセンブリ６８０を含む感知フレーム６７８として修正したものである。第１の支持体２５２がハウジング６８４に置き換わっており、ハウジング６８４は、プロセッサ６０６と、送信機又はトランシーバ６５８と、非一時的メモリ６１０と、電源６１２とを含む。温度修正デバイス６８２は、アーム６８６によって第２の支持体２５４に接続される。温度修正アセンブリ６８０は、送信機又はトランシーバ６５８が送信する無線信号を通じて遠隔デバイス６６０と通信する。遠隔デバイス６６０は、例えば携帯電話機、電話機、腕時計及びコンピュータなどとすることができる。
【００７６】
図７８は、図３３の実施形態を、温度修正デバイス６９２を有する温度修正アセンブリ６９０を含む感知フレーム６８８として修正したものである。第１の支持体２６２がハウジング６９６に置き換わっており、ハウジング６９６は、プロセッサ６０６と、送信機又はトランシーバ６５８と、非一時的メモリ６１０と、電源６１２とを含む。温度修正デバイス６９２は、アーム６９８によって第２の支持体２６４に接続される。温度修正アセンブリ６９０は、送信機又はトランシーバ６５８が送信する無線信号を通じて遠隔デバイス６６０と通信する。遠隔デバイス６６０は、例えば携帯電話機、電話機、腕時計及びコンピュータなどとすることができる。
【００７７】
図７９は、図３４の実施形態を、センサ７０２を有するセンサアセンブリ７００を含む感知フレーム６９９として修正したものである。第１の支持体２７２がハウジング７０４に置き換わっており、ハウジング７０４は、プロセッサ６０６と、送信機６０８と、非一時的メモリ６１０と、電源６１２とを含む。センサ７０２は、アーム７０６によって第２の支持体２７４に接続される。
【００７８】
図８０は、図３５の実施形態を、センサ７１２を有するセンサアセンブリ７１０を含む感知フレーム７０８として修正したものである。第１の支持体２８２がハウジング７１４に置き換わっている。ハウジング７１４は、プロセッサ６０６と、送信機６０８と、非一時的メモリ６１０と、電源６１２とを含む。センサ７１２は、アーム７１６によって第２の支持体２８４に接続される。
【００７９】
図８１は、図３６の実施形態を、センサ７２２を有するセンサアセンブリ７２０を含む感知フレーム７１８として修正したものである。第１の支持体２９２がハウジング７２４に置き換わっている。ハウジング７２４は、プロセッサ６０６と、送信機６０８と、非一時的メモリ６１０と、電源６１２とを含む。センサ７２２は、アーム７２６によって第２の支持体２９４に接続される。
【００８０】
図８２は、図３７の実施形態を、センサ７３２を有するセンサアセンブリ７３０を含む感知フレーム７２８として修正したものである。第１の支持体３０２がハウジング７３４に置き換わっている。ハウジング７３４は、プロセッサ６０６と、送信機６０８と、非一時的メモリ６１０と、電源６１２とを含む。センサ７３２は、アーム７３６によって第２の支持体３０４に接続される。
【００８１】
図８３は、図３９の実施形態を、センサ７４２とハウジング７４４とを有するセンサアセンブリ７４０を含む感知フレーム７３８として修正したものである。ハウジング７４４は、プロセッサ６０６と、送信機６０８と、非一時的メモリ６１０と、電源６１２とを含む。センサ７４２は、アーム７４６によってハウジング７４４に接続される。ハウジング７４４は、第２のフレーム支持体３２０上に支持される。
【００８２】
図８４は、図４１の実施形態を、センサ７５２と少なくとも１つのハウジング７５４とを有するセンサアセンブリ７５０を含む感知フレーム７４８として修正したものである。ハウジング７５４は、プロセッサ６０６と、送信機６０８と、非一時的メモリ６１０と、電源６１２とを含むことができる電子機器を含む。センサ７５２は、アーム７５６によってハウジング７５４に接続される。ハウジング７５４は、第２のフレーム支持体３３８上に支持される。
【００８３】
図８５は、図４３の実施形態を、センサ７６２と少なくとも１つのハウジング７６４とを有するセンサアセンブリ７６０を含むように修正したものである。ハウジング７６４は、プロセッサ６０６と、送信機６０８と、非一時的メモリ６１０と、電源６１２とを含むことができる電子機器を含む。センサ７６２は、アーム７６６によってハウジング７６４に接続される。ハウジング７６４は、第２のフレーム支持体３５８上に支持される。
【００８４】
図８６は、図４５の実施形態を、センサ７７２と少なくとも１つのハウジング７７４とを有するセンサアセンブリ７７０を含む感知フレーム７６８として修正したものである。ハウジング７７４は、プロセッサ６０６と、送信機６０８と、非一時的メモリ６１０と、電源６１２とを含むことができる電子機器を含む。センサ７７２は、アーム７７６によってハウジング７７４に接続される。ハウジング７７４は、第２のフレーム支持体３７８上に支持される。
【００８５】
図８７は、図４７の実施形態を、センサ７８２と、センサ７８２を第１のフレーム支持体３９４に接続するアーム７８４とを有するセンサアセンブリ７８０を含む感知フレーム７７８として修正したものである。
【００８６】
図８８は、図５４の実施形態を、センサ７９２と、センサ７９２を第１のフレーム支持体４３４に接続するアーム７９４とを有するセンサアセンブリ７９０を含む感知フレーム７８８として修正したものである。
【００８７】
図８９は、感知フレーム８０２のテンプル８００の図である。テンプル８００は、第１の部分８０４、中間部分８０６及び末端部分８０８という３つの部分を含む。第１の部分８０４は、基本的に真っ直ぐであり、基本的に斜めの中間部分８０６に位置するハウジング８１２をセンサ２９８などのセンサ（図示せず）に接続するワイヤ８１０を収容する。ハウジング８１２は、上側において上向き方向に延びる突出部分８１４と、下側において延びてテンプルフレーム８００の線８１８に同行する平坦部分８１６とを含む。ハウジング８１２は、プロセッサ８２０と、非一時的メモリ８２２と、無線デバイス８２４と、電源８２６とを含む。ワイヤ８１０は、ハウジング８１２内で終端して、ハウジング８１２内のプロセッサ８２０などの１又は２以上の電子部品に接続される。末端部８０８は、耳に係合する細い中間領域８２８と、頭部に固定されるように太くなった遠位領域８３０とを有する。
【００８８】
図９０は、テンプルワイヤ又はフレーム８４２と重なり合う第１のハウジング８４０を含む、図８９の代替実施形態である。第１のハウジング８４０は、テンプルワイヤ又はフレーム８４２の上方の第１の突出領域８４４と、テンプルワイヤ又はフレーム８４２の下方の第２の突出領域８４６と、テンプルワイヤ又はフレーム８４２の端部における第２のハウジング８４８とを含む。
【００８９】
図９１は、感知フレーム８５０のテンプル８５２の図である。テンプル８５２は、第１の非電子的部分８５４及び末端の電子的部分８５６という２つの部分を含む。第１の非電子的部分８５４は、真っ直ぐなテンプル部分８６０に続く湾曲領域８５８を含む。末端の電子的部分８５６は、電源８６６を含む第１のハウジング８６４を有する第１の部品８６２、第１の部品８６２よりも寸法が小さい（又は薄い）第２の部品８６８、及び第３の部品又は末端部品８７０という少なくとも３つの部品又は部分を含む。第３の部品又は末端部品８７０は、プロセッサ８７４と、非一時的メモリ８７６と、送信機８７８とが位置付けられた又は配置された第２のハウジング８７２を含む。
【００９０】
図９２は、図９１の代替実施形態であるが、テンプルフレーム８８４の終端部８８２のみに突出部品８８０を有し、この終端部８８２が耳８８６に係合する。
【００９１】
図９３には、額支持ワイヤ、フレーム又は上部フレームの眉２６に対する距離８８８の好ましい実施形態を示しており、距離８８８は、１０ｍｍ以下であることが好ましく、５ｍｍ以下であることがさらに好ましく、従ってこの態様では、本開示の額支持ワイヤ、フレーム又は上部フレームが、従来のフレーム（図示せず）の上部又は頂部によって覆われることが好ましい。
【００９２】
図９４〜図９６には、従来の眼鏡類の鼻部分のブリッジと本開示の例示的なフレームとの比較を示す。
【００９３】
図９４には、従来のレンズ８９２と、眉２６の下方に位置する鼻部分８９６のブリッジ８９４とを含む従来の眼鏡類８９０を示す。
【００９４】
図９５には、大型レンズ９００と、眉２６の下方に位置する鼻部分９０４のブリッジ９０２とを含むが、上部フレーム９０６及び大型レンズ９００が眉２６を覆って位置する従来の眼鏡類８９８を示しており、この構成は、さらに大型のレンズを有することができる女性用サングラスの設計で見られることがある。
【００９５】
図９４及び図９５の従来の特徴とは対照的に、図９６に示すように、本開示の眼鏡の鼻部分９１２を含む接続部分９１０は、眉２６の上方に、好ましくは眉２６の５ｍｍ〜１０ｍｍ上方に配置される。
【００９６】
図９７及び図９８には、右側部分９２４、左側部分９２６及び中央部分又は鼻領域９２２という３つの部分を有する、上側フレームと呼ぶこともできる感知フレーム９２０を示す。右側部分９２４及び左側部分９２６は同じ高さに位置し、眉２６上に存在し、又は眉２６に隣接する。中央部分９２２は高くなって右側部分９２４及び左側部分９２６の上方に位置するのに対し、右側部分９２４及び左側部分９２６は下方に変位して眉２６と整列する。中央部分９２２は、センサ９３２と、中央部分又は鼻領域９２２に接続されたアーム９３４とを有するセンサアセンブリ９２８を含む。
【００９７】
図９９に、ユーザ９３６が従来の眼鏡類９３０の下に図６０の感知フレーム４７９を着用した様子を示す。本開示の感知フレームは、別の眼鏡類と併せて着用されるように適合されるとともに、従来の眼鏡類（本開示では、眼鏡及びサングラスのことを眼鏡類と呼ぶ）のフレームの下に着用されるように適合された感知アセンブリを有するようにさらに適合される。従って、図９９には、従来の眼鏡類９３０の前部フレーム９３４の上部９３２の下方に延びる、眉２６の下に位置するセンサ４８４を含むセンサアセンブリ４８０のアーム４８２を示す。
【００９８】
図１００には、頭部の周囲、又は円形の身体部分又は物体の周囲に着用されるバンドとして構成された、本明細書では「感知バンド」と呼ぶ感知フレーム９４０を示す。感知バンド９４０は、右側部分９４２、左側部分９４４、前部９４６及び後部９４８という４つの部分を含む。前部９４６は、側部９４２及び９４４内に配置されたワイヤ（図示せず）によって後部９４８に電気的に接続された、アーム９５２及びセンサ９５４を有する感知アセンブリ９５０を含む。後部９４８は、ＬＥＤ、送信機、プロセッサ、非一時的メモリ、スピーカ及びマイクを含むハードウェア９５６と、電源９５８とを含む。
【００９９】
図１０１は、図１００の感知アセンブリ９５０の図である。センサ９５４は、センサ９５４をＡＢＴＴ終端１８８上に又はこれに隣接して位置付けるように屈曲可能、調整可能又は配置可能なように構成された、アーム９５２の終端部分又は末端部分９６０に位置する。
【０１００】
図１０２には、屈曲可能、調整可能又は配置可能なアーム９７６の終端部分、遠位部分又は末端部分９７４に配置されたセンサアレイ９７２を含む、代替実施形態のセンサアセンブリ９７０を示す。
【０１０１】
図１０３には、センサ９５４がＡＢＴＴ終端１８８上に又はこれに隣接して配置された感知バンド９４０をユーザ９３６が着用した様子を示す。
【０１０２】
図１０４には、全体を１０６０で示す、本開示の例示的な実施形態による感知バンドを示す。感知バンド１０６０は、その前部１０６４に凹部領域１０６２を含む。感知バンド１０６０は、センサ１０６８も含む。凹部領域１０６２は、従来の眼鏡類のフレーム部分１０６６を受け取るように適合される。図１０４Ａは、凹部領域１０６２の拡大図である。
【０１０３】
図１０４Ｂは、全体を１０８０で示す、本開示の例示的な実施形態による感知型眼鏡類の一部の図である。眼鏡類１０８０は、従来の眼鏡類のフレーム１０８６が係合する比較的細い部分１０８４を含むアーム１０８２を含む。
【０１０４】
図１０５は、全体を１０９０で示す、本開示の例示的な実施形態による感知バンドの図である。感知バンド１０９０は、その前部１０９４に、従来の眼鏡類のフレーム部分１０６６を受け取るように適合された、屈曲可能なアーム１０９６屈曲させることによって形成された凹部領域１０９２を含む。図１０５Ａは、凹部領域１０９２の拡大図である。
【０１０５】
図１０５Ｂは、全体を１１００で示す、本開示の例示的な実施形態による感知型眼鏡類の一部の図である。眼鏡類１１００は、従来の眼鏡類のフレーム１１０６が係合する比較的細い部分１１０４を含む屈曲可能なアーム１１０２を含む。
【０１０６】
図１０６〜図１０８は、全体を１１１０で示す、本開示の例示的な実施形態による感知バンドの図である。感知バンド１１１０は、屈曲可能なアーム１１１２と二重センサヘッド１１１４とを含む。センサヘッド１１１４は、グルコース及び体温の測定のために赤外線を検出するように適合される。感知バンド１１１０の後部１１１６は、本明細書ではグルコースレベル及び体温レベルを示すディスプレイ１１２２を有する携帯電話機として示す遠隔デバイス１１２０に信号を送信するように適合された無線デバイス１１１８及びその他の電子機器を有する。図１０７及び図１０８に示すように、二重センサヘッド１１１４は、ＡＢＴＴ終端１８８からの放熱を受け取るように構成されたセンサ１１２４を含む。図１０７及び図１０８には、ＡＢＴＴ終端１８８からの放熱を受け取るセンサ１１２４を示しているが、感知バンド１１１０のセンサ１１２４は、他のあらゆる身体部分又は物体からの放熱を受け取るように適合されると理解されたい。
【０１０７】
図１０９及び図１１０は、従来の眼鏡類１１２６と共に使用中の感知バンド１１１０を含むことによって、ユーザが従来の眼鏡類を使用すると同時に本開示の感知フレーム又は感知バンド１１１０を着用できるようにする構成の図である。図１１０には、図１０９の構成をユーザ９３６が着用した様子を示す。図１１０Ａには、感知フレーム又は感知バンド１１１０と従来の眼鏡類１１２６との係合の詳細を示す。感知バンド１１１０の側部１１２８は、従来の眼鏡類１１２６のテンプル１１３０の真上に隣接して位置する。従来の眼鏡類１１２６の従来の前部フレーム１１３２は、レンズ１１３４を含み、従来の前部フレーム１１３２は、感知バンド１１１０に重なり合い、従来の前部フレーム１１３２の上部１１３６は、感知バンド１１１０の凹部領域１１３８内に係合し、従来の眼鏡類１１２６のテンプル１１３０の下方にはセンサ１１２４が位置し、センサ１１２４は、レンズ１１３４の裏側の、眉２６に隣接するＡＢＴＴ終端１８８上に又はこれに隣接して位置する。
【０１０８】
図１１１には、全体を１１５０で示す、本開示の例示的な実施形態による感知バンドを示す。感知バンド１１５０は、図１０６に示す感知バンド１１１０と同様の特徴を含み、必要に応じて同様に番号を付す。図示のユーザ９３６は、従来の眼鏡類１１２６と共に感知バンド１１５０を着用している。感知バンド１１５０は、従来の眼鏡類１１２６のフレーム１１５６を受け取るように適合された係合領域１１５４を有するアーム１１５２を含む。
【０１０９】
図１１２〜図１１４は、全体を１１６０で示す、本開示の例示的な実施形態による感知型眼鏡類の図である。感知型眼鏡類１１６０は、前部１１６２を含む。前部１１６２は、上部フレーム１１６４と、右側特大レンズ１１６６と、左側特大レンズ１１６８と、右側レンズリム１１７０と、左側レンズリム１１７２と、右側レンズリム１１７０と左側レンズリム１１７２を接続する相互接続中央部１１７４と、右側センサアセンブリ１１７６と、左側センサアセンブリ１１７８とを含む。右側センサアセンブリ１１７６は、右側アーム１１８０と右側センサ１１８２とを含む。左側センサアセンブリ１１７６は、左側アーム１１８４と左側センサ１１８６とを含む。図１１３に示すように、感知型眼鏡類１１６０は、右側テンプル１１８８（及び、図示していない左側テンプル）も含む。図１１４に示すように、感知型眼鏡類１１８０は、別個の又は遠隔デバイス１１２０と無線信号通信を行うように構成された無線デバイス１１９０をさらに含むことができる。
【０１１０】
図１１５は、全体を１２００で示す、本開示の例示的な実施形態による感知フレームの斜視図である。感知フレーム１２００は、右側センサアセンブリとして示す少なくとも１つのセンサアセンブリ１２０２と、右側テンプル１２０４と、左側テンプル１２０６と、右側レンズリム１１７０及び左側レンズリム１１７２の大型化によって鼻柱を覆うようになる感知フレーム１２００の中央部分１２１２から距離を置いて配置された右側鼻当て１２０８及び左側鼻当て１２１０とを含む。右側センサアセンブリ１２０２は、右側鼻当て１２０８の真上に位置し、右側レンズリム１１７０及びセンサ１２１６に接続された支持部分１２１４を含む。
【０１１１】
図１１６は、全体を１２２０で示す、本開示の例示的な実施形態による感知型眼鏡類の図である。感知型眼鏡類１２２０は、図１１２に示す感知型眼鏡類１１６０とのいくつかの類似点を含んでおり、必要に応じて同様に番号を付す。感知型眼鏡類１２２０は、屈曲可能なアーム１２２２及び１２２４を含み、右側センサ１１８２及び左側センサ１１８６をＡＢＴＴ終端１８８と位置合わせするための屈曲可能なアーム１２２２及び１２２４の動きを矢印１２２６で示す。
【０１１２】
図１１７及び図１１８は、全体を１２４０で示す、本開示の例示的な実施形態による感知型眼鏡類の図である。感知型眼鏡類１２４０は、図１１２に示す感知型眼鏡類１１６０とのいくつかの類似点を含んでおり、必要に応じて同様に番号を付す。感知型眼鏡類１２４０は、センサアレイ１１８２の代わりに単一のセンサ１２４２を含む。図１１８に示すように、感知型眼鏡類１２４０は、テンプル１１８８と、上部フレーム１１６４と、右側レンズリム１１０と、左側レンズリム１１７２とを含む。右側レンズリム１１７０は、目１２４４と眉２６との間において鼻２８に隣接するＡＢＴＴ終端１８８の位置に、ＡＢＴＴ終端１８８上に、ＡＢＴＴ終端１８８に隣接して、ＡＢＴＴ終端１８８の横に、又はＡＢＴＴ終端１８８の近くに配置されたセンサ１２４２を有する。上部フレーム１１６４は、右側部分１２４６、左側部分１２４８及び中央部分１２５０という３つの部分を含む。
【０１１３】
感知バンドについて説明したあらゆる実施形態又は凹部領域は、本開示のあらゆる眼鏡類又は感知型眼鏡類に適用可能であると理解されたい。
【０１１４】
簡潔にするために、例示的なデバイスとして実施形態を示した。あらゆる実施形態のあらゆる部分を組み合わせて使用して単一の実施形態を形成することもでき、またあらゆる実施形態のあらゆる部分を別の実施形態に対する置換又は追加として使用することもでき、結果として得られる実施形態は全て本開示の範囲に含まれる。
【０１１５】
本開示の様々な実施形態を図示し説明したが、これらの実施形態は、これらの図及び説明に限定されるものではないと理解されたい。当業者であれば、これらの実施形態を変更し、修正し、さらに応用することができる。従って、これらの実施形態は、上記で図示し説明した詳細に限定されるものではなく、全てのこのような変更及び修正も含む。
【図１】
2018517163.tif 000003
【図２】
2018517163.tif 000004
【図３】
2018517163.tif 000005
【図４】
2018517163.tif 000006
【図５】
2018517163.tif 000007
【図６】
2018517163.tif 000008
【図７】
2018517163.tif 000009
【図８】
2018517163.tif 000010
【図９】
2018517163.tif 000011
【図１０】
2018517163.tif 000012
【図１１】
2018517163.tif 000013
【図１２】
2018517163.tif 000014
【図１３】
2018517163.tif 000015
【図１４】
2018517163.tif 000016
【図１５】
2018517163.tif 000017
【図１６】
2018517163.tif 000018
【図１７】
2018517163.tif 000019
【図１８】
2018517163.tif 000020
【図１９】
2018517163.tif 000021
【図２０】
2018517163.tif 000022
【図２１】
2018517163.tif 000023
【図２２】
2018517163.tif 000024
【図２３】
2018517163.tif 000025
【図２４】
2018517163.tif 000026
【図２５】
2018517163.tif 000027
【図２６】
2018517163.tif 000028
【図２７】
2018517163.tif 000029
【図２８】
2018517163.tif 000030
【図２９】
2018517163.tif 000031
【図３０】
2018517163.tif 000032
【図３１】
2018517163.tif 000033
【図３２】
2018517163.tif 000034
【図３３】
2018517163.tif 000035
【図３４】
2018517163.tif 000036
【図３５】
2018517163.tif 000037
【図３６】
2018517163.tif 000038
【図３７】
2018517163.tif 000039
【図３８】
2018517163.tif 000040
【図３９】
2018517163.tif 000041
【図４０】
2018517163.tif 000042
【図４１】
2018517163.tif 000043
【図４２】
2018517163.tif 000044
【図４３】
2018517163.tif 000045
【図４４】
2018517163.tif 000046
【図４５】
2018517163.tif 000047
【図４６】
2018517163.tif 000048
【図４７】
2018517163.tif 000049
【図４８】
2018517163.tif 000050
【図４９】
2018517163.tif 000051
【図５０】
2018517163.tif 000052
【図５１】
2018517163.tif 000053
【図５２】
2018517163.tif 000054
【図５３】
2018517163.tif 000055
【図５４】
2018517163.tif 000056
【図５５】
2018517163.tif 000057
【図５６】
2018517163.tif 000058
【図５７】
2018517163.tif 000059
【図５８】
2018517163.tif 000060
【図５８Ａ】
2018517163.tif 000061
【図５８Ｂ】
2018517163.tif 000062
【図５９】
2018517163.tif 000063
【図６０】
2018517163.tif 000064
【図６１】
2018517163.tif 000065
【図６２】
2018517163.tif 000066
【図６３】
2018517163.tif 000067
【図６４】
2018517163.tif 000068
【図６５】
2018517163.tif 000069
【図６６】
2018517163.tif 000070
【図６７】
2018517163.tif 000071
【図６８】
2018517163.tif 000072
【図６９】
2018517163.tif 000073
【図７０】
2018517163.tif 000074
【図７１】
2018517163.tif 000075
【図７２】
2018517163.tif 000076
【図７３】
2018517163.tif 000077
【図７４】
2018517163.tif 000078
【図７５】
2018517163.tif 000079
【図７６】
2018517163.tif 000080
【図７７】
2018517163.tif 000081
【図７８】
2018517163.tif 000082
【図７９】
2018517163.tif 000083
【図８０】
2018517163.tif 000084
【図８１】
2018517163.tif 000085
【図８２】
2018517163.tif 000086
【図８３】
2018517163.tif 000087
【図８４】
2018517163.tif 000088
【図８５】
2018517163.tif 000089
【図８６】
2018517163.tif 000090
【図８７】
2018517163.tif 000091
【図８８】
2018517163.tif 000092
【図８９】
2018517163.tif 000093
【図９０】
2018517163.tif 000094
【図９１】
2018517163.tif 000095
【図９２】
2018517163.tif 000096
【図９３】
2018517163.tif 000097
【図９４】
2018517163.tif 000098
【図９５】
2018517163.tif 000099
【図９６】
2018517163.tif 000100
【図９７】
2018517163.tif 000101
【図９８】
2018517163.tif 000102
【図９９】
2018517163.tif 000103
【図１００】
2018517163.tif 000104
【図１０１】
2018517163.tif 000105
【図１０２】
2018517163.tif 000106
【図１０３】
2018517163.tif 000107
【図１０４】
2018517163.tif 000108
【図１０４Ａ】
2018517163.tif 000109
【図１０４Ｂ】
2018517163.tif 000110
【図１０５】
2018517163.tif 000111
【図１０５Ａ】
2018517163.tif 000112
【図１０５Ｂ】
2018517163.tif 000113
【図１０６】
2018517163.tif 000114
【図１０７】
2018517163.tif 000115
【図１０８】
2018517163.tif 000116
【図１０９】
2018517163.tif 000117
【図１１０】
2018517163.tif 000118
【図１１０Ａ】
2018517163.tif 000119
【図１１１】
2018517163.tif 000120
【図１１２】
2018517163.tif 000121
【図１１３】
2018517163.tif 000122
【図１１４】
2018517163.tif 000123
【図１１５】
2018517163.tif 000124
【図１１６】
2018517163.tif 000125
【図１１７】
2018517163.tif 000126
【図１１８】
2018517163.tif 000127
【国際調査報告】
2018517163.tif 000128